(57)【要約】【課題】光学調心が不要であって、光結合効率に優れ、さらに、組み立てが簡単な光学部材を提供する。【解決手段】光学部材１は、発光素子５と光ファイバ３とを結合している。発光素子５と光ファイバ３とが対向する位置に光導通孔２が設けられ、この光導通孔２の光入射面側の孔径に相当する第１の面１ａ側の孔径Ｄａは、光導通孔２の光入射面側に設けられた発光素子５の光出射部の出射径に相当する発光部６の発光径Ｄ６よりも大きく形成されている。また、光導通孔２の光出射面側の孔径に相当する第２の面１ｂ側の孔径Ｄｂは、光ファイバ３の光入射部の入射径に相当するコア４のコア径Ｄ４より大きくなるように形成されている。【選択図】図１
2013080069.tif 000002
【特許請求の範囲】
【請求項１】
発光素子と光ファイバとを結合させる光学部材であって、前記発光素子と前記光ファイバとが対向する位置に光導通孔が設けられ、該光導通孔の光入射面側の孔径は、前記光導通孔の光入射面側に設けられる発光素子の光出射部の出射径より大きく、かつ、前記光導通孔の光出射面側の孔径は、前記光導通孔の光出射面側に設けられる光ファイバの光入射部の入射径より大きくなるように、前記光導通孔が形成されていることを特徴とする光学部材。
【請求項２】
前記光導通孔の内面に反射ミラーが形成されていることを特徴とする請求項１に記載の光学部材。
【請求項３】
前記光学部材が透明体からなり、前記光導通孔内に前記透明体よりも高屈折率の透明体が充填されていることを特徴とする請求項１に記載の光学部材。
【請求項４】
前記発光素子および光ファイバのそれぞれの光軸が、前記光導通孔の光軸と一致するように、前記発光素子または前記光ファイバが配置されていることを特徴とする請求項１から３のいずれか１に記載の光学部材。
【請求項５】
前記光学部材が、前記光ファイバを装着した光ファイバコネクタの位置決め構造を有することを特徴とする請求項１から４のいずれか１に記載の光学部材。
【請求項６】
前記発光素子が複数の発光素子をアレイ状に実装した発光素子アレイとして構成され、かつ、前記光ファイバが複数の光ファイバをアレイ状に形成された光ファイバアレイとして構成されていることを特徴とする請求項５に記載の光学部材。
【発明の詳細な説明】
【技術分野】
【０００１】
本発明は、光学部材に関し、詳しくは、発光素子と光ファイバとを結合させる光学部材に関する。
【背景技術】
【０００２】
デジタルネットワーク社会の進展に伴い、情報家電機器における高精細動画の処理など、大容量の情報を高速で処理する必要が高まってきている。これに対し、従来の電気伝送線路に代えて、電気伝送の入出力部分で光電変換を行い、広帯域な光ファイバを利用することで、高速・大容量伝送を行う光インターコネクションの開発が進んでいる。
【０００３】
例えば、非特許文献１には、ＷＤＭ（波長分割多重）方式に用いられる光受信モジュールとして、入射光を、プリズムとバンドパスフィルタで分光した後、集光レンズアレイによって受光素子アレイへ集光させたものが開示されている。
【０００４】
しかしながら、発光素子または受光素子などの光素子と光ファイバをレンズを用いて結合する場合、光素子と、光ファイバと、レンズの３者の相互の位置関係を調整する必要が生じる。このため、光素子、レンズ、ファイバの位置関係を最適化しようとすると、それぞれ空間上で３次元調心する必要があり、調心固定が難しくなる。さらに、アレイ伝送の場合、光素子アレイ、レンズアレイ、ファイバアレイを用いるため、高いアレイ精度が要求される。また、受光素子、発光素子側で、光学設計が異なると、実装設計も複雑になる。
【０００５】
このため、例えば、非特許文献２には、レンズを用いない光電変換モジュールが開示されている。この光電変換モジュールでは、図９に示すような電気複合型の光フェルール１０１が用いられる。
【０００６】
この光フェルール１０１には、従来のプラスチック製多心光フェルールの接続端面に微細リードフレームを一体成形した電極１０２が形成されている。そして、光フェルール１０１の端面に設けた光ファイバ穴１０３の位置に、直接、ＶＣＳＥＬ（Vertical Cavity Surface Emitting Laser）やＰＤ（Photo Diode）といった受発光素子１０４を位置決めしてフリップチップ実装した後、光ファイバ穴１０３に光ファイバ１０５を挿入することにより光サブアセンブリを作製している。
【先行技術文献】
【非特許文献】
【０００７】
【非特許文献１】望月敬太ほか著、「１００Ｇｂｐｓイーサネット光受信モジュール用４ｃｈ−ＷＤＭ  光学系の開発」電子情報通信学会総合大会講演論文集  ２０１０年  エレクトロニクス（１）、ｐ２７２、２０１０年３月２日、社団法人電子情報通信学会
【非特許文献２】桜井  渉ほか著「光電気インターコネクションモジュール用ＬＦＩ（Lead Frame Inserted）フェルールの開発」ＳＥＩテクニカルレビュー第１７２号、ｐ１３０−１３２、２００８年１月  住友電気工業株式会社
【発明の概要】
【発明が解決しようとする課題】
【０００８】
非特許文献２に開示された光電変換モジュールは、レンズを必要としないため、高精度なファイバ調心が不要となり、高効率な光結合が得られる。また、部品点数が少なく、低コスト化が可能である。
【０００９】
しかしながら、非特許文献２に開示された光電変換モジュールでは、受発光素子と光ファイバを直接至近距離に突き合わせて光結合をさせるバットカップリングの構造をとるため、受発光素子と光ファイバとを近接させる必要があり、製造時の精度管理負担や設計の自由度が制限されるという問題があった。
【００１０】
例えば、発光素子の場合、通常、発光径は２〜１０μｍ、発光角（全角）は２０°〜４０°であり、光ファイバコア径は５０μｍ以上、開口数（ＮＡ：Numerical Aperture）０.２〜０.５（結合可能入射角：約２０°〜５０°）であるため、ファイバコア径によっては、発光素子と光ファイバ間を１００μｍとかなり短くする必要がある。また、発光角が、光ファイバ結合可能入射角より大きな場合は、低損失結合が実現できないという問題が生じる。
【００１１】
本発明は、これらの実情に鑑みてなされたものであり、光学調心が不要であって、光結合効率に優れ、さらに、組み立てが簡単な光学部材を提供することをその目的とする。
【課題を解決するための手段】
【００１２】
本発明による光学部材は、発光素子と光ファイバとを結合させる光学部材であって、前記発光素子と前記光ファイバとが対向する位置に光導通孔が設けられ、該光導通孔の光入射面側の孔径は、前記光導通孔の光入射面側に設けられる発光素子の光出射部の出射径より大きく、かつ、前記光導通孔の光出射面側の孔径は、前記光導通孔の光出射面側に設けられる光ファイバの光入射部の入射径より大きくなるように、前記光導通孔が形成されていること特徴とする。
【００１３】
光導通孔内の伝搬光を反射させるために、光導通孔の内面に反射ミラーを形成してもよく、あるいは、光導通孔内に光学部材の透明体よりも高屈折率の透明体を充填してもよい。また、発光素子または光ファイバの光軸が、前記光導通孔の光軸と一致するように配置されることが望ましい。さらに、光学部材に、光ファイバを装着した光ファイバコネクタの位置決め部材を設けてもよい。
【発明の効果】
【００１４】
本発明によれば、レンズを用いることなく、光導通孔に対して発光素子と光ファイバを実装することができるので、光学調心が不要となり、組立が容易となる。また、光導通孔径を調整することで、発光素子からの全パワーを光導通孔に導き、さらに、光ファイバにも導くことができる。また、光導通孔が、発光素子から光ファイバに向かってアップテーパになることから、発光素子からの光は低開口数化（低ＮＡ化）され、光ファイバへの結合がより良好になる。
【図面の簡単な説明】
【００１５】
【図１】本発明の一実施形態に係る光学部材の断面図である。
【図２】本発明の一実施形態に係る光学部材の作用を説明するための図である。
【図３】本発明の光学部材を用いた光電気変換モジュールの断面図である。
【図４】本発明の光学部材を用いた光電気変換モジュールの斜視図である。
【図５】本発明の光学部材と光素子アレイとの取り付け構造を説明するための図である。
【図６】従来の光電変換モジュールの一例を示す図である。
【発明を実施するための形態】
【００１６】
（第１の実施形態）
以下、図面を参照しながら、本発明の光学部材に係る好適な実施の形態について説明する。図１は、本発明の一実施形態に係る光学部材の断面図であり、図２は、本発明の一実施形態に係る光学部材の作用を説明するための図である。
本実施形態では、光学部材１の第１の面１ａに光素子として発光素子５が複数配置されるとともに、第２の面１ｂに光ファイバ３が複数配置されている。そして、光学部材１には発光素子５と光ファイバ３とを結合させるための光導通孔２が一列となるように複数設けられている。このように、本実施形態では、光導通孔２の光入射面側に光素子である発光素子５が、また、光導通孔２の光出射面側に光ファイバ３が設けられている。
【００１７】
そして、この光導通孔２の光入射面側の孔径に相当する第１の面１ａ側の孔径Ｄａは、光導通孔２の光入射面側に設けられた発光素子５の光出射部の出射径に相当する発光部６の発光径Ｄ６よりも大きく形成されており、また、光導通孔２の光出射面側の孔径に相当する第２の面１ｂ側の孔径Ｄｂは、光ファイバ３の光入射部の入射径に相当するコア４のコア径Ｄ４より大きくなるように形成されている。
【００１８】
ここで、発光素子５の発光部６の光軸および光ファイバ３の光軸は、それぞれ光導通孔２の光軸と一致するように実装されていることが望ましい。また、光導通孔２の内面１ｃでは、損失なく光を反射する必要があるため、光導通孔２の内面１ｃに反射ミラーを形成するか、あるいは、全反射条件を満たすように光導通孔２を光学部材１の透明体よりも高屈折率の材料で充填することが望ましい。なお、光学部材１を不透明体で作製する場合は、光導通孔２の内面１ｃに反射ミラーを形成する必要がある。
【００１９】
先述したように、発光素子の発光径は２〜１０μｍ、発光角（全角）は２０°〜４０°、光ファイバコア径は５０μｍ以上であるため、光導通孔２の光入射面側の孔径Ｄａを発光素子５の発光径Ｄ６よりも若干大きく、また、光導通孔２の光出射面側の孔径Ｄｂを光ファイバ３のコア径Ｄ４よりも若干大きく形成した場合、光導通孔２の形状は第１の面１ａから第２の面１ｂにかけて径が大きくなるアップテーパ形状となる。
【００２０】
このため、第１の面側１ａでは発光素子６からの光パワーが全て光導通孔２へ導かれ、さらに、図２で示すように、発光素子５からの光は先太りとなるアップテーパ形状の光導通孔２内面１ｃで反射されるため、伝搬光の開口数（ＮＡ）が小さくなる。一般に、発光素子５の開口数は光ファイバ３のコアの開口数よりも大きいので、光が光導通孔２内を伝搬することにより、低ＮＡに変換され、光ファイバ結合効率が改善される。また、ファイバとの結合方向に行くに従って、光導通孔２の径が太くなるので、位置ずれの影響も受けにくくなる。
【００２１】
通常、石英ファイバへの入射光は低ＮＡとしなければならないが、グレーデッドインデックス型の石英ファイバの場合、ＮＡがコア中心から離れるに従って、さらにＮＡが小さくなるので、先太りのテーパによって低ＮＡ化を図る場合に、より大きな割合で低ＮＡへ変換する必要がある。さらに、グレーデッドインデックス型の石英ファイバの場合、コア径は５０μｍと小さいため、より大きくＮＡ変換をしようとすると、光ファイバ側の光導通孔径は、光ファイバコア径よりも大きくする必要がある。そして、テーパからの出射光は、低ＮＡでコアよりも大きな光束となるので、テーバ出口と光ファイバとの軸ずれによる結合損失変動も小さくなる。
【００２２】
（第２の実施形態）
次に、本発明の光学部材を用いた光電気変換モジュールについて説明する。
図３は、本発明の光学部材を用いた光電気変換モジュールの断面図であり、図４は、その斜視図である。また、図５は、本発明の光学部材と発光素子アレイとの取り付け構造を説明するための図である。
【００２３】
本実施形態に係る光電気変換モジュール１０は、光学部材１を有している。この光学部材１は、例えば、硼珪酸ガラスまたは石英ガラスなどから形成されたガラス基板からなる。この光学部材１は、第１の面１ａが回路パターン９を有する実装面とされ、第２の面１ｂが光ファイバコネクタ１１の装着面とされる。また、この光学部材１には、表裏にわたって貫通する複数の光導通孔２が一列に配列されて形成されている。
【００２４】
光学部材１の実装面である第１の面１ａには、光導通孔２の対向位置に、発光素子アレイとして、例えばＶＣＳＥＬアレイからなる発光素子アレイ７が取り付けられている。ここで、発光素子アレイ７に形成した各発光素子６のピッチｐは、図８で示すように、光学部材１に形成した光導通孔２のピッチｐと等しくなるように形成されており、発光素子アレイ７の発光素子６と光導通孔２とが対向するように、発光素子アレイ７の図示しない端子部が、回路パターン９に対して、例えば、金（Ａｕ）バンプ１３によってフリップチップ実装されている。
【００２５】
また、光学部材１の実装面である第１の面１ａには、発光素子アレイ７を駆動させるＶＣＳＥＬアレイドライバＩＣからなる電気デバイス２０が実装されており、電気デバイス２０の図示しない端子部が、金（Ａｕ）バンプ２１を介して回路パターン９に接続されている。さらに、光学部材１の回路パターン９には、ホストボードへの接続用のハンダボール２２が設けられている。
【００２６】
光導通孔２の孔径と発光素子６、光ファイバ３との関係は、第１の実施形態で示した関係となっており、第１の面１ａから第２の面１ｂにかけて径が大きくなるアップテーパ形状となっている。光導通孔２の内部には、光学部材１における光の屈折率よりも高い屈折率を有する透明樹脂１４を充填することにより高屈折率部分をコアとする導波路が形成されるようにしている。なお、本実施形態では、光学部材１と発光素子アレイ７との間にも、透明樹脂１４を充填することにより、発光素子アレイ７を光学部材１に接着固定している。この透明樹脂１４は、光学部材１の第２の面１ｂ側から充填可能であり、紫外線硬化型樹脂を用いるのが好ましい。
【００２７】
光学部材１の装着面である第２の面１ｂ側には、光ファイバコネクタ１１が着脱可能に設けられており、この光ファイバコネクタ１１を光学部材１へ取り付けることにより、発光素子アレイ７と光ファイバコネクタ１１との光結合が可能となる。この光ファイバコネクタ１１は、ポリエステル樹脂、ＰＰＳ樹脂及びエポキシ樹脂の何れかを含む材料で形成された光フェルール１２を有しており、テープ状の光ケーブルとされた複数本の光ファイバ心線１５が接続されている。
【００２８】
光ファイバ心線１５は、コア４およびクラッド８を有する光ファイバ３を樹脂によって被覆したものであり、光ファイバ心線１５の端部で被覆から露出された光ファイバ３が光フェルール１２に保持されている。そして、光フェルール１２における光学部材１との対向面である光入出面１２ａで、それぞれの光ファイバ３の端面が露出されている。
【００２９】
光ファイバコネクタ１１には、光学部材１側の光入出面１２ａの両側部に、光学部材１側へ突出する位置決めピン１６が設けられている。これらの位置決めピン１６は、光学部材１における複数の光導通孔２の配列の両側部に形成された位置決め穴１７へ挿入可能となっている。そして、光ファイバコネクタ１１は、位置決めピン１６を位置決め穴１７へ挿入させながら、光学部材１側へ近接させることにより、光学的な調心を行うことなく、光ファイバ３の先端面を光学部材１の光導通孔２に対向した光結合位置に高精度に位置決めして配置させることができる。
【００３０】
また、光学部材１には、光ファイバコネクタ１１を係止するラッチ等の図示しない係止手段が設けられており、光ファイバコネクタ１１は、係止手段によって光学部材１の所定位置に係止される。なお、光学部材１に位置決めピンを設け、光ファイバコネクタ１１に位置決めピンが挿入可能な位置決め穴を形成しても良い。
【００３１】
このように、光電気変換モジュール１０の光学部材１に対して、光ファイバコネクタ１１が着脱可能とされているので、光ファイバコネクタ１１の接続後に、例えば、光ファイバ心線１５側に不具合が生じたとしても、光電気変換モジュール１１全体を交換する必要がなく、歩留まりの低下によるコスト高を抑えることができる。また、予め光ファイバ心線１５を接続した構造と比較して、良好な組み立て作業性を確保することができる。
【００３２】
上記の光電気変換モジュール１０では、発光素子アレイ７の発光部６から発光された光が、光導通孔２を介して光ファイバコネクタ１１の光ファイバ３へ入射することにより、発光素子アレイ７と光ファイバ３との間で、光学部材１の光導通孔２を介して光伝送が行われる。
【００３３】
以上、本発明の実施形態について説明したが、本発明において、発光部６が円形でない場合における、発光径Ｄ６の長さは、その発光部６を取り囲む最小の円の径とすればよい。例えば、発光部６が長方形の場合は、その径は対角線の長さに等しくなる。
【符号の説明】
【００３４】
１…光学部材、２…光導通孔、３…光ファイバ、４…コア、５…発光素子、６…発光部、７…発光素子アレイ、８…クラッド、９…回路パターン、１０…光電気変換モジュール、１１…光ファイバコネクタ、１２…光フェルール、１３，２１，２２…バンプ、１４…透明樹脂、１５…光ファイバ心線、１６…位置決めピン、１７…位置決め穴、２０…電気デバイス、１０１…光フェルール、１０２…電極、１０３…光ファイバ穴、１０４…受発光素子、１０５…光ファイバ。
【図１】
2013080069.tif 000003
【図２】
2013080069.tif 000004
【図３】
2013080069.tif 000005
【図４】
2013080069.tif 000006
【図５】
2013080069.tif 000007
【図６】
2013080069.tif 000008